(57)【要約】【課題】編集されたページ画像を容易に認識することである。【解決手段】画面表示を行う表示部と、画像データに基づいて用紙に画像形成する画像形成部と、ジョブに含まれる画像データに基づくページ画像の編集の指示入力を受け付ける操作部と、前記ジョブのページ画像の編集画面を生成して前記表示部に表示し、前記操作部による編集の指示入力に基づいて前記編集画面のページ画像を編集する制御部と、を備える画像形成装置において、前記制御部は、前記編集されたページ画像１１１を示すマーク１１２，１１３を前記編集画面に表示する。【選択図】図５
2009231944.tif 000002
【特許請求の範囲】
【請求項１】
画面表示を行う表示部と、
画像データに基づいて用紙に画像形成する画像形成部と、
ジョブに含まれる画像データに基づくページ画像の編集の指示入力を受け付ける操作部と、
前記ジョブのページ画像の編集画面を生成して前記表示部に表示し、前記操作部による編集の指示入力に基づいて前記編集画面のページ画像を編集する制御部と、を備える画像形成装置において、
前記制御部は、前記編集されたページ画像を示すマークを前記編集画面に表示する画像形成装置。
【請求項２】
前記制御部は、前記編集されたページ画像に対応する位置、又は当該編集されたページ画像を含む複数のページ画像に対応する位置に前記マークを表示する請求項１に記載の画像形成装置。
【請求項３】
前記制御部は、前記ジョブのページ画像が複数の編集画面にわたって切替表示される場合に、全編集画面における表示中の編集画面の範囲を示すインジケータを前記表示部に表示し、前記ページ画像が編集された場合に、前記編集されたページ画像を示すマークを前記インジケータに表示する請求項１又は２に記載の画像形成装置。
【請求項４】
前記操作部は、前記インジケータに表示されたマークの選択入力を受け付け、
前記制御部は、前記操作部を介して選択入力されたマークに対応する編集画面を前記表示部に表示する請求項３に記載の画像形成装置。
【請求項５】
前記操作部は、マークを表示させる編集の条件の設定入力を受け付け、
前記制御部は、前記操作部を介して設定入力された編集の条件を満たす編集がなされた場合に、当該編集されたページ画像を示す前記マークを表示する請求項１から４のいずれか一項に記載の画像形成装置。
【請求項６】
前記制御部は、ページ画像の編集の種類に応じて、前記マークの形状及び色の少なくとも１つを異にする請求項１から５のいずれか一項に記載の画像形成装置。
【請求項７】
前記操作部は、前記ページ画像の編集の種類に応じたマークの形状及び色の少なくとも１つの設定入力を受け付け、
前記制御部は、前記操作部により設定入力されたマークの形状及び色の少なくとも１つに基づいて前記マークを表示する請求項６に記載の画像形成装置。
【請求項８】
前記制御部は、ページ画像が自動で挿入された場合に、当該挿入されたページ画像に対応する前記マークを表示する請求項１から７のいずれか一項に記載の画像形成装置。
【請求項９】
前記操作部は、ページ画像の用紙の属性の変更の指示入力を受け付け、
前記制御部は、前記操作部によりページ画像の用紙の属性の変更が指示入力された場合に、当該変更されたページ画像を示す前記マークを表示する請求項１から８のいずれか一項に記載の画像形成装置。
【請求項１０】
前記用紙の属性は、用紙のサイズ及び用紙の種類の少なくとも１つである請求項９に記載の画像形成装置。
【発明の詳細な説明】
【技術分野】
【０００１】
本発明は、画像形成装置に関する。
【背景技術】
【０００２】
従来、画像形成のジョブが投入されると、そのジョブを実行して用紙に画像形成する複写機等の画像形成装置が知られている。また、画像形成のジョブが投入された際に、そのジョブの各ページの画像（ページ画像）の画像形成順等を編集するための編集画面を表示する画像形成装置が考えられている。例えば、ジョブの任意のページのプレビュー画像（ページ画像）を有するプレビュー画面（編集画面）を表示し、そのプレビュー画面から、ユーザの操作入力に基づいて、プレビュー画像に挿入紙挿入、文書挿入、ページ挿入、削除の編集を実行する構成が考えられている（特許文献１参照）。
【特許文献１】特開２００６−１８００４４号公報
【発明の開示】
【発明が解決しようとする課題】
【０００３】
しかし、従来の画像形成装置では、編集画面において、ページ画像に編集された旨の情報が表示されなかった。このため、編集画面に表示される各ページ画像から、編集されたページ画像をユーザが認識することが難しかった。
【０００４】
本発明の課題は、編集されたページ画像を容易に認識することである。
【課題を解決するための手段】
【０００５】
上記課題を解決するため、請求項１に記載の発明は、
画面表示を行う表示部と、
画像データに基づいて用紙に画像形成する画像形成部と、
ジョブに含まれる画像データに基づくページ画像の編集の指示入力を受け付ける操作部と、
前記ジョブのページ画像の編集画面を生成して前記表示部に表示し、前記操作部による編集の指示入力に基づいて前記編集画面のページ画像を編集する制御部と、を備える画像形成装置において、
前記制御部は、前記編集されたページ画像を示すマークを前記編集画面に表示する。
【０００６】
請求項２に記載の発明は、請求項１に記載の画像形成装置において、
前記制御部は、前記編集されたページ画像に対応する位置、又は当該編集されたページ画像を含む複数のページ画像に対応する位置に前記マークを表示する。
【０００７】
請求項３に記載の発明は、請求項１又は２に記載の画像形成装置において、
前記制御部は、前記ジョブのページ画像が複数の編集画面にわたって切替表示される場合に、全編集画面における表示中の編集画面の範囲を示すインジケータを前記表示部に表示し、前記ページ画像が編集された場合に、前記編集されたページ画像を示すマークを前記インジケータに表示する。
【０００８】
請求項４に記載の発明は、請求項３に記載の画像形成装置において、
前記操作部は、前記インジケータに表示されたマークの選択入力を受け付け、
前記制御部は、前記操作部を介して選択入力されたマークに対応する編集画面を前記表示部に表示する。
【０００９】
請求項５に記載の発明は、請求項１から４のいずれか一項に記載の画像形成装置において、
前記操作部は、前記ページ画像の編集の種類に応じたマークの形状及び色の少なくとも１つの設定入力を受け付け、
前記制御部は、前記操作部により設定入力されたマークの形状及び色の少なくとも１つに基づいて前記マークを表示する。
【００１０】
請求項６に記載の発明は、請求項１から５のいずれか一項に記載の画像形成装置において、
前記制御部は、ページ画像の編集の種類に応じて、前記マークの形状及び色の少なくとも１つを異にする。
【００１１】
請求項７に記載の発明は、請求項６に記載の画像形成装置において、
前記操作部は、前記ページ画像の編集の種類に応じたマークの形状及び色の少なくとも１つの設定入力を受け付け、
前記制御部は、前記操作部により設定入力されたマークの形状及び色の少なくとも１つに基づいて前記マークを表示する。
【００１２】
請求項８に記載の発明は、請求項１から７のいずれか一項に記載の画像形成装置において、
前記制御部は、ページ画像が自動で挿入された場合に、当該挿入されたページ画像に対応する前記マークを表示する。
【００１３】
請求項９に記載の発明は、請求項１から８のいずれか一項に記載の画像形成装置において、
前記操作部は、ページ画像の用紙の属性の変更の指示入力を受け付け、
前記制御部は、前記操作部によりページ画像の用紙の属性の変更が指示入力された場合に、当該変更されたページ画像を示す前記マークを表示する。
【００１４】
請求項１０に記載の発明は、請求項９に記載の画像形成装置において、
前記用紙の属性は、用紙のサイズ及び用紙の種類の少なくとも１つである。
【発明の効果】
【００１５】
請求項１記載の発明によれば、編集画面に表示されたマークにより、編集されたページ画像を容易に認識できる。
【００１６】
請求項２記載の発明によれば、編集されたページ画像又はこれを含む複数のページ画像に対応する位置にマークを表示でき、適切なページ画像間隔でマークを表示できる。
【００１７】
請求項３記載の発明によれば、インジケータに表示されたマークにより、編集されたページ画像の位置を容易に認識できる。
【００１８】
請求項４記載の発明によれば、インジケータのマークを選択入力することにより、そのマークに対応するページ編集画面を容易に表示できる。
【００１９】
請求項５記載の発明によれば、マークを表示するページ画像の編集の条件を容易に設定できる。
【００２０】
請求項６記載の発明によれば、編集画面、又は編集画面及びインジケータに表示されたマークの形状及び色の少なくとも１つにより、編集の種類を容易に認識できる。
【００２１】
請求項７記載の発明によれば、ページ画像の編集の種類に応じたマークの形状及び色の少なくとも１つを容易に設定できる。
【００２２】
請求項８記載の発明によれば、編集画面、又は編集画面及びインジケータに表示されたマークにより、挿入されたページ画像を容易に認識できる。例えば両面画像形成時の章分け機能による裏面への自動白紙挿入時に、挿入された白紙のページ画像を容易に認識できる。
【００２３】
請求項９記載の発明によれば、編集画面、又は編集画面及びインジケータに表示されたマークにより、用紙の属性が変更されたページ画像を容易に認識できる。
【００２４】
請求項１０記載の発明によれば、編集画面、又は編集画面及びインジケータに表示されたマークにより、重要な編集であると類推される用紙のサイズ及び用紙の種類の少なくとも１つが変更されたページ画像を容易に認識できる。
【発明を実施するための最良の形態】
【００２５】
添付図面を参照して本発明に係る好適な実施の形態及びその変形例を順に詳細に説明する。なお、本発明は、図示例に限定されるものではない。また、この発明の実施の形態は発明の最も好ましい形態を表すものであり、発明の用途や用語はこれに限定するものではない。
【００２６】
図１〜図５を参照して、本発明に係る実施の形態を説明する。先ず、図１及び図２を参照して、本実施の形態の装置構成を説明する。
【００２７】
本実施の形態では、複写機としての画像形成装置１を用いる場合について説明するが、これに限定されるものではなく、プリンタなどの少なくとも画像形成機能を有する装置であればよい。
【００２８】
図１に、第１の実施の形態における画像形成装置１の断面構成を示す。図１に示すように、画像形成装置１は、画像読取部２０、表示操作部３０、画像形成部４０、給紙ユニット５０、後処理部６０を備えて構成される。
【００２９】
画像読取部２０は、自動紙送り機構であるＡＤＦ（Auto Document Feeder）部２１、スキャナ部２２を備えて構成される。ＡＤＦ部２１は、原稿台に載置された原稿を搬送してスキャナ部２２に送り出し、スキャナ部２２は、搬送された原稿を光走査してラインイメージセンサＣＣＤ（Charged Coupled devices）により光電変換して原稿画像を読み取る。
【００３０】
画像読取部２０により読み取られた原稿画像データには、各種画像処理が施され、画像形成用の読取画像データとして画像形成部４０に出力される。
【００３１】
表示操作部３０は、表示部３１と、数字キー、プリント開始を指示するためのスタートボタン、各種機能キー等を含むキー操作部３３とから構成される。表示部３１は、ＬＣＤ（Liquid Crystal Display）等の表示パネルと、当該表示パネル上を覆うように設けられたタッチパネルとから構成され、設定条件の設定画面等の各種操作画面や、各種処理結果を表示する。
【００３２】
画像形成部４０は、電子写真方式で用紙に白黒の画像形成を行うものであり、給紙ユニット５０から給紙された用紙を搬送する搬送機構４１、用紙に画像形成を行う画像形成本体部４２、用紙上に形成されたトナー像を定着させる定着部４３から構成される。また、画像形成本体部４２は、像担持体である感光ドラム、感光ドラムの帯電を行う帯電部、画像データに基づいて感光ドラム表面に露光走査する露光部、感光ドラムにトナーを付着させる現像部、感光ドラム上に形成されたトナー像を用紙に転写する転写部、感光ドラム上の残トナーを除去するクリーニング部から構成される。
【００３３】
なお、本実施の形態では、画像形成部４０を電子写真方式で白黒の画像形成を行うものとして説明するが、これに限定されるものではない。画像形成部４０としては、カラーの画像形成を行うものとしてもよく、インクジェット方式、熱転写方式、昇華方式、ドットインパクト方式等、他の方式の画像形成を行うものとしてもよい。
【００３４】
給紙ユニット５０は、給紙トレイ５１〜５４の４つの給紙トレイを備えて構成される。なお、本実施の形態では、４つの給紙トレイを備えることとしたが、その数は特に限定しない。各給紙トレイ５１〜５４には、普通紙、裏紙、再生紙、上質紙等の用紙種類、用紙サイズ等が異なる用紙を収容することが可能である。
【００３５】
後処理部６０は、画像形成部４０により画像形成された用紙に、パンチ（穿孔）処理、ステープル処理、ソート処理、製本処理処理等を施す機能を有する。また、後処理部６０は、画像形成（又は後処理）がなされた用紙を排紙する排紙トレイ６１を有する。
【００３６】
図２に、画像形成装置１の内部構成を示す。図２に示すように、画像形成装置１は、制御部１１と、プリントコントローラ１２と、画像処理部１３と、記憶部１４と、画像読取部２０と、表示操作部３０と、画像形成部４０と、後処理部６０と、を備えて構成される。
【００３７】
制御部１１は、画像形成装置１の各部を中央制御する。制御部１１は、ＣＰＵ（Central Processing Unit）、ＲＡＭ（Random Access Memory）、ＲＯＭ（Read Only Memory）を備える。制御部１１において、ＣＰＵがＲＯＭに記憶された各種プログラムをＲＡＭに展開し、ＣＰＵがＲＡＭに展開されたプログラムにより各種処理を実行する。
【００３８】
ＲＯＭには、後述する第１のページ編集画面表示処理を実行するための第１のページ編集画面表示プログラムが記憶されている。制御部１１は、第１のページ編集画面表示プログラムに基づいて、編集したページ画像を示すマークを有するページ編集画面を表示部３１に表示する。ページ画像とは、ジョブ（のデータ）に含まれる画像データに基づく各ページの画像（縮小画像）である。
【００３９】
プリントコントローラ１２は、ＬＡＮ（Local Area Network）等の通信回線を介して、ＰＣ（Personal Computer）等の情報処理装置（図示略）と通信接続される。プリントコントローラ１２は、制御部１１の指示により、前記情報処理装置から送信される画像形成用のジョブデータを画像形成部４０又は記憶部１４へ配信する機能を有する。
【００４０】
画像処理部１３は、制御部１１の指示により、画像読取部２０から入力されるアナログの画像信号に、アナログ処理、Ａ／Ｄ変換、シェーディング補正、画像圧縮処理及び変倍処理等の各種画像処理を施してデジタルの画像データを出力する。また、画像処理部１３は、制御部１１の指示により、画像読取部２０で読取られた画像データ、プリントコントローラ１２から入力された画像データ、又は記憶部１４に記憶された画像データに、ページ画像データへの変換処理等の画像処理を施す。
【００４１】
記憶部１４は、ＲＡＭ等により構成され、画像読取部２０又はプリントコントローラ１２により入力された画像データ（ジョブのデータ）を一時的に記憶する。また、記憶部１４は、表示操作部３０を介するユーザの操作入力により設定される各種設定情報を記憶する。
【００４２】
表示操作部３０は、表示部３１及び操作部３２を備えて構成される。表示部３１は、制御部１１の表示指示により、後述するページ編集画面等の表示画面を表示する。操作部３２は、表示部３１に一体的に設けられたタッチパネル及びキー操作部３３を有する。操作部３２は、ユーザの操作入力を受け付け、その操作入力に対応する操作情報を制御部１１に出力する。
【００４３】
画像形成部４０は、制御部１１の指示により、画像データに基づいて用紙に画像形成を行う。後処理部６０は、制御部１１の指示により、画像形成部４０で画像形成された用紙に後処理を施して排紙トレイ６１から排紙する。後処理を行わない場合には、画像形成部４０で画像形成された用紙が排紙トレイ６１から排紙される。
【００４４】
次に、図３〜図５を参照して画像形成装置１の動作を説明する。図３に、第１のページ編集画面表示処理の流れを示す。
【００４５】
ページ編集画面は、（画像形成の）ジョブのページ画像の画像形成順の変更等のページ編集用の操作画面である。画像形成のジョブとは、複写のジョブ又は画像形成のみのジョブである。また、ページ編集画面は、ジョブ（のデータ）に含まれる画像データ（オリジナルの画像データ）に対応するページ画像の一覧が含まれるものとする。オリジナルの画像データとは、ジョブが複写である場合に、画像読取部２０により読取られる読取画像データとなり、ジョブが外部の情報処理装置から投入された画像形成のみのジョブである場合に、プリントコントローラ１２を介して情報処理装置から送信される文書等のプリントデータに含まれる画像データとなる。その複写又は画像形成のみのジョブのデータは、投入後に一旦記憶部１４に記憶されて画像形成を待機する。
【００４６】
第１のページ編集画面表示処理は、編集したページ画像を示すマークと、当該編集したページ画像を有するページ編集画面を示すインジケータのマークと、を有するページ編集画面を表示する処理である。
【００４７】
予め、少なくとも１つの画像形成のジョブが画像形成装置１に投入され、その画像形成待機中のジョブのデータが記憶部１４に記憶されているものとする。例えば、操作部３２を介してユーザからページ編集するジョブの選択とページ編集画面の表示指示とが入力されたことをトリガとして、制御部１１により、第１のページ編集画面表示処理が実行される。
【００４８】
図３に示すように先ず、記憶部１４に記憶されたジョブのデータに基づいて、選択中のジョブに対応するページ編集画面の画像データが生成され、その画像データに基づいてページ編集画面が表示部３１に表示される（ステップＳ１１）。ステップＳ１１では、具体的には、記憶部１４に記憶された選択中のジョブのデータに含まれるオリジナル画像データが、画像処理部１３により縮小されてページ画像データが生成される。この生成された画像データのページ画像を有するページ編集画面の画像データが生成される。
【００４９】
ここで、図４を参照して、ステップＳ１１で表示されるページ編集画面の一例を説明する。図４に、ページ編集画面１０１の構成を示す。図４に示すように、ページ編集画面１０１は、ページ画像表示領域１１０と、ページ編集ボタン表示領域１２０と、インジケータ表示領域２００と、を有する。
【００５０】
ページ画像表示領域１１０は、ページ画像１１１を表示する領域である。ユーザは、ページ画像１１１をタッチ入力することにより、その選択入力が可能である。ページ画像表示領域１１０には、最大２０のページ画像１１１を表示可能であるものとする。全ページ画像が１画面のページ画像表示領域１１０に収まらない場合に、ページ編集画面は複数の画面にわたって切替表示されるものとする。
【００５１】
ページ編集ボタン表示領域１２０は、ページ編集に関する各種入力ボタンを表示する領域である。ページ編集ボタン表示領域１２０は、カットボタン１２１、複製ボタン１２２、画像挿入ボタン１２３、削除ボタン１２４、白紙挿入ボタン１２５、入れ替えボタン１２６、画像詳細ボタン１２７、もどるボタン１２８等が表示される。
【００５２】
カットボタン１２１は、選択されたページ画像１１１を一旦制御部１１のＲＡＭに記憶させるとともにジョブから削除させるボタンである。一旦記憶されたページ画像１１１は、再度画像挿入させることが可能である。複製ボタン１２２は、選択されたページ画像１１１をジョブから削除することなく一旦制御部１１のＲＡＭに記憶させるボタンである。画像挿入ボタン１２３は、選択されたページ画像１１１の前に画像を挿入させるボタンである。その挿入する画像は、カットボタン１２１、複製ボタン１２２入力でＲＡＭに記憶されたページ画像１１１や、記憶部１４に記憶される別の画像データの画像等である。
【００５３】
削除ボタン１２４は、選択されたページ画像１１１をジョブから削除させるボタンである。白紙挿入ボタン１２５は、選択されたページ画像１１１の前に白紙（ブランク）のページ画像を挿入させるボタンである。入れ替えボタン１２６は、選択された２つのページ画像１１１の順番を入れ替えさせるボタンである。画像詳細ボタン１２７は、選択されたページ画像１１１の用紙の属性等を設定する詳細設定画面を表示させるボタンである。もどるボタン１２８は、表示画面をページ編集画面の前の画面、例えばジョブ一覧画面に遷移させるボタンである。
【００５４】
インジケータ表示領域２００は、インジケータ２０１を表示する領域である。インジケータ表示領域２００は、インジケータ２０１、移動ボタン２１１を有する。ここでは、１画面にページ画像を２０表示可能であり、選択中のジョブの全画像数が６０であるケースを説明する。このため、ページ画像を２０表示するページ編集画面が３画面分設定され、ページ編集画面１０１は、３つのページ編集画面のうち、先頭のページ編集画面であるものとする。
【００５５】
インジケータ２０１は、選択中のジョブの全てのページ編集画面のうち、現在表示中のページ編集画面の範囲を示す。ページ編集画面１０１が先頭のページ編集画面であるため、インジケータ２０１は、先頭から３分の１の範囲を明示している。移動ボタン２１１は、全てのページ編集画面の中から、表示中のページ編集画面を１つ前、１つ後、先頭又は最後のページ編集画面に移動させるボタンである。
【００５６】
図３に戻り、ステップＳ１１の実行後、選択中のジョブの画像並び順が取得される（ステップＳ１２）。ステップＳ１２では、削除ボタン１２４のタッチ入力によるページ画像の削除、入れ替えボタン１２６等のタッチ入力によるページ画像の移動、カットボタン１２１、複製ボタン１２２、画像挿入ボタン１２３等のタッチ入力によるページ画像の複製、画像挿入等により、画像並び順（画像形成順）の変更の編集がなされる。そして、表示中のページ編集画面において、ユーザから操作部３２を介してページ編集のための入力があるか否かが判別される（ステップＳ１３）。ページ編集の入力がない場合（ステップＳ１３；ＮＯ）、第１のページ編集画面表示処理が終了する。ページ編集の入力がある場合（ステップＳ１３；ＹＥＳ）、操作部３２を介してページ編集の内容の入力が受け付けられる（ステップＳ１４）。
【００５７】
そして、選択中のジョブに関し、ステップＳ１２で取得された編集前の画像並び順から、ステップＳ１４の編集後の画像並び順の変更を示す変更情報が取得される（ステップＳ１５）。そして、ステップＳ１５で取得された変更情報に基づいて、ページ画像表示領域における画像並び順が変更されたページ画像を示すマークが対応する表示位置に設定され、インジケータにおけるページ画像が編集されたページ編集画面を示すマークが対応する表示位置に設定される（ステップＳ１６）。
【００５８】
そして、編集前のページ編集画面に、ステップＳ１４で入力された編集内容の編集がなされ、ステップＳ１６で設定されたマークを有する編集後のページ編集画面の画像データが生成され、その画像データに応じてページ編集画面が表示部３１に表示され（ステップＳ１７）、第１のページ編集画面表示処理が終了する。
【００５９】
ここで、図５を参照して、ステップＳ１７によりマークが表示されたページ編集画面の一例を示す。図５に、マークが表示されたページ編集画面１０２の構成を示す。
【００６０】
図４のページ編集画面１０１の表示中に、ステップＳ１４において、入れ替えボタン１２６のタッチ入力により、１２番目と１３番目とのページ画像１１１を入れ替える編集がなされたものとする。すると、ステップＳ１７において、図５に示すページ編集画面１０２が表示部３１に表示される。ページ編集画面１０２では、１２番目と１３番目とのページ画像１１１の下にマーク１１２，１１３が表示され、インジケータ２０１において、１２番目と１３番目とのページ画像１１１を含むページ編集画面に対応する位置（インジケータ２０１の先頭１／３の範囲の下）にマーク２０２が表示されている。
【００６１】
また、１〜２０番目のページ画像１１１を有するページ編集画面１０２の表示中、移動ボタン２１１のタッチ入力により、表示画面が４１〜６０番目のページ画像１１１を有する最後のページ編集画面に切り替えられたものとする。この最後のページ編集画面においても、ページ編集画面１０２と同様に、インジケータ２０１にマーク２０２が表示されている。
【００６２】
最後のページ編集画面の表示中に、マーク２０２をタッチ入力すると、制御部１１により、表示画面がマーク２０２に対応するページ編集画面１０２に切り替えられる。このように、インジケータ２０１に表示されるマークをタッチ入力することで、表示画面がそのマークに対応するページ編集画面に切り替えられる。
【００６３】
以上、本実施の形態によれば、ジョブに含まれる画像データに基づくページ画像１１１を有するページ編集画面を表示部３１に表示させ、操作部３２を介してページ画像の編集が指示入力されると、その指示入力されたページ画像の編集をページ編集画面に反映させ、ページ編集されたページ画像１１１を示すマークをページ画像に付帯表示し、ページ編集されたページ画像を有するページ編集画面を示すマークをインジケータ２０１に付帯表示してページ編集画面を表示部３１に表示させる。このため、ページ画像に付帯表示されたマークにより、編集されたページ画像をユーザが目視で容易に認識できるとともに、インジケータに付帯表示されたマークにより、編集されたページ画像の位置をユーザが目視で容易に認識できる。
【００６４】
また、インジケータ２０１に表示されたマークをユーザがタッチ入力することにより、そのマークに対応するページ編集画面を表示部３１に表示する。このため、インジケータに表示されたマークに対応するページ編集画面を容易に表示できる。
【００６５】
（第１の変形例）
図６〜図９を参照して、上記実施の形態の第１の変形例を説明する。本変形例では、上記実施の形態と同様に、画像形成装置１を用い、上記実施の形態と異なる部分を主として説明する。
【００６６】
本変形例における画像形成装置１の動作を説明する。制御部１１のＲＯＭには、条件設定処理を実行するための条件設定プログラムと、第２のページ編集画面表示処理を実行するための第２のページ編集画面表示プログラムが記憶される。図６に、条件設定処理の流れを示す。図７に、第２のページ編集画面表示処理の流れを示す。
【００６７】
先ず、図６を参照して画像形成装置１で実行される条件設定処理を説明する。条件設定処理は、マークを表示する（ページ画像の）編集の条件を設定する処理である。編集の条件としては、ページ編集画面におけるページ画像のカット、複製等、編集の種類であるものとする。画像形成装置１において、例えば、操作部３２を介して条件設定処理の実行指示が入力されたことをトリガとして、制御部１１により条件設定プログラムに基づく条件設定処理が実行される。
【００６８】
図６に示すように、先ず、マークを表示する編集の条件の設定入力を行う条件設定画面が表示部３１に表示され、操作部３２を介してユーザからの編集の条件の入力が受け付けられる（ステップＳ２１）。例えば、編集の種類がページ画像のカットである場合にマークを表示する旨の編集の条件が入力される。そして、ステップＳ２１で入力された条件を設定情報として設定し、その設定情報が記憶部１４に記憶され（ステップＳ２２）、条件設定処理が終了する。
【００６９】
画像形成装置１において、条件設定処理の実行後に、第２のページ編集画面表示処理が実行される。第２のページ編集画面表示処理は、条件設定処理により設定された条件を満たす編集がなされたページ画像を示すマークをページ画像及びインジケータに付帯表示してページ編集画面を表示する処理である。画像形成装置１において、例えば、操作部３２を介して第２のページ編集画面表示処理の実行指示が入力されたことをトリガとして、制御部１１により第２のページ編集画面表示プログラムに基づく第２のページ編集画面表示処理が実行される。
【００７０】
図７に示すように、第２のページ編集画面表示処理のステップＳ３１〜Ｓ３４は、第１のページ編集画面表示処理のステップＳ１１〜Ｓ１４と同様である。ステップＳ３４の実行後、ステップＳ３２で取得された編集前の画像並び順の各ページ画像に対して、ステップＳ３４で入力された編集の種類、編集したページ画像の順番等の編集内容を含む編集情報が取得される（ステップＳ３５）。そして、選択中のジョブに関し、記憶部１４に記憶された設定情報と、ステップＳ３５で取得された編集情報とに基づいて、設定情報の条件を満たす編集がなされたページ画像を示すマークが対応する表示位置に設定され、インジケータにおけるページ画像の編集がなされたページ編集画面を示すマークが対応する表示位置に設定される（ステップＳ３６）。
【００７１】
そして、編集前のページ編集画面に、ステップＳ３５で入力された編集情報の編集がなされ、ステップＳ３６で設定されたマークを有する編集後のページ編集画面の画像データが生成され、その画像データに応じてページ編集画面が表示部３１に表示され（ステップＳ３７）、第２のページ編集画面表示処理が終了する。
【００７２】
図８及び図９を参照して、条件設定処理及び第２のページ編集画面表示処理の具体例を説明する。図８に、条件設定画面３０１の構成を示す。図９に、マークが表示されたページ編集画面の構成を示す。
【００７３】
条件設定処理のステップＳ２１では、例えば、図９に示す条件設定画面３０１が表示される。条件設定画面３０１は、カットボタン３１１、複製ボタン３１２、画像挿入ボタン３１３を有する。カットボタン３１１は、マークを表示する編集の条件としてページ画像のカットを入力するボタンである。複製ボタン３１２は、マークを表示する編集の条件としてページ画像の複製を入力するボタンである。画像挿入ボタン３１３は、マークを表示する編集の条件として画像挿入を入力するボタンである。
【００７４】
ここでは、ステップＳ２１において、カットボタン３１１がタッチ入力されて、マークを表示する編集の条件が設定されたものとし、ステップＳ２２において、その設定情報が記憶部１４に記憶される。
【００７５】
そして、第２のページ編集画面表示処理が実行される。ステップＳ３１では、図４に示すページ編集画面１０１が表示部３１に表示される。そして、ステップＳ３４において、１１番目と１２番目のページ画像の入れ替えと、１３番目のページ画像のカットと、の編集がなされたものとする。
【００７６】
すると、ステップＳ３７において、図９に示すページ編集画面１０３が表示部３１に表示される。ページ編集画面１０３において、画像のカットがマークを表示する編集の種類であるため、１３番目のページ画像１１１がカットされ、それ以降の順番のページ画像が繰り上がっている。これとともに、１３番目のページ画像１１１の下にマーク１１４が表示され、インジケータ２０１のページ編集画面１０３に対応する位置にマーク２０３が表示されている。一方、画像の入れ替えがマークを表示する編集の種類でないため、１１番目と１２番目のページ画像１１１は入れ替わっているが、マークが表示されていない。
【００７７】
以上、本変形例によれば、操作部３２を介してマークを表示する編集の条件の入力を受け付けて設定し、その条件を満たす編集がなされた場合に、その編集がなされたページ画像１１１を示すマークをページ画像に付帯表示し、そのページ画像１１１を有するページ編集画面を示すマークをインジケータ２０１に付帯表示してページ編集画面を表示部３１に表示する。このため、マークを表示する編集の条件を容易に設定できる。
【００７８】
（第２の変形例）
図１０及び図１１を参照して、上記実施の形態の第２の変形例を説明する。本変形例では、上記実施の形態と同様に、画像形成装置１を用い、上記実施の形態と異なる部分を主として説明する。
【００７９】
本変形例における画像形成装置１の動作を説明する。本変形例では、第１の変形例と同様に、画像形成装置１において、条件設定処理及び第２のページ編集画面表示処理と同様の処理が実行される。ただし、本変形例における条件設定処理では、マークを表示する編集の条件として編集の種類を設定するとともに、編集の種類に応じてマークの色を設定するものとする。
【００８０】
図１０に、条件設定画面３０２の構成を示す。本変形例における条件設定処理のステップＳ２１において、図１０に示す条件設定画面３０２が表示部３１に表示されるものとする。条件設定画面３０２は、カットボタン３１１、複製ボタン３１２、画像挿入ボタン３１３と、色指定ボタン３１４Ｙ，３１４Ｂ，３１４Ｇと、を有する。色指定ボタン３１４Ｙは、マークの色を黄色に指定するボタンである。色指定ボタン３１４Ｂは、マークの色を青に指定するボタンである。色指定ボタン３１４Ｇは、マークの色を緑に指定するボタンである。このマークの色は、黄、青、緑の３色に限定されるものではなく、他の色や、２色又は４色以上としてもよい。
【００８１】
色指定ボタン３１４Ｙ，３１４Ｂ，３１４Ｇは、カットボタン３１１、複製ボタン３１２、画像挿入ボタン３１３それぞれに対応付けられ、編集の種類ごとにマークの色指定が可能になっている。ここでは、一例として、カットボタン３１１に対応して色指定ボタン３１４Ｙがタッチ入力され、複製ボタン３１２に対応して色指定ボタン３１４Ｂがタッチ入力され、画像挿入ボタン３１３に対応して色指定ボタン３１４Ｇがタッチ入力されるケースを考える。このように、カットに対応して黄色のマークを表示し、複製に対応して緑色のマークを表示し、画像挿入に対応して青色のマークを表示するものとして設定され、その設定情報が記憶部１４に記憶される。
【００８２】
図１１に、マークを表示したページ編集画面１０４の構成を示す。次いで、本変形例における第２のページ編集画面表示処理が実行され、ステップＳ３１において、図１１に示すページ編集画面１０４のようにページ編集ボタン表示領域１２０Ａを有するページ編集画面が表示部３１に表示される。ページ編集ボタン表示領域１２０Ａは、カットボタン１２１Ａ、複製ボタン１２２Ａ、画像挿入ボタン１２３Ａ等のボタンを有する。カットボタン１２１Ａには、条件設定されているマークをユーザが識別可能なように、設定されている黄色のマークが表示されている。同様に、複製ボタン１２２Ａには、設定されている青色のマークが表示されている。同様に、画像挿入ボタン１２３Ａには、設定されている緑色のマークが表示されている。
【００８３】
本変形例における第２のページ編集画面表示処理の前に予め、２番目のページ編集画面（順番が２１〜４０番のページ画像を有するページ編集画面）において、複製ボタン１２２Ａのタッチ入力によりページ画像の複製がなされ、３番目のページ編集画面（順番が４１〜６０番のページ画像を有するページ編集画面）において、画像挿入ボタン１２３Ａのタッチ入力により画像挿入がなされているものとする。そして、本変形例における第２のページ編集画面表示処理のステップＳ３４において、カットボタン１２１Ａのタッチ入力により１３番目のページ画像１１１がカットされたものとする。
【００８４】
すると、ステップＳ３７において、図１１に示すページ編集画面１０４が表示部３１に表示される。ページ編集画面１０４では、ページ画像表示領域１１０において、カットにより繰り上がった１３番目のページ画像１１１の下に黄色のマーク１１５が表示されている。インジケータ表示領域２００では、インジケータ２０１において、表示中のページ編集画面１０４に対応する位置に黄色のマーク２０４が表示されており、２番目のページ編集画面に対応する位置に青色のマーク２０５が表示されており、３番目のページ編集画面に対応する位置に緑色のマーク２０６が表示されている。この例では、カットボタン１２１Ａ、複製ボタン１２２Ａ、画像挿入ボタン１２３Ａ以外のページ編集のボタンがタッチ入力されても、ページ画像表示領域１１０及びインジケータ２０１にマークが表示されない。
【００８５】
以上、本変形例によれば、操作部３２を介してマークを表示する編集の条件と編集の種類に応じたマークの色との設定入力を受け付けて設定し、その条件を満たす編集がなされた場合に、その編集に対応する色のマークをページ画像及びインジケータに付帯表示してページ編集画面を表示部３１に表示する。このため、第１の変形例の効果を奏するとともに、ページ画像及びインジケータに付帯表示されたマークの色により、編集の種類をユーザが目視で容易に認識できる。
【００８６】
（第３の変形例）
図１２及び図１３を参照して、上記実施の形態の第３の変形例を説明する。本変形例では、上記実施の形態と同様に、画像形成装置１を用い、上記実施の形態と異なる部分を主として説明する。
【００８７】
本変形例における画像形成装置１の動作を説明する。本変形例では、条件設定処理の実行により、第１の変形例と同様に、画像形成装置１において、条件設定処理及び第２のページ編集画面表示処理と同様の処理が実行される。ただし、本変形例における条件設定処理では、マークを表示する編集の条件として編集の種類を設定するとともに、編集の種類に応じてマークの形状を設定するものとする。
【００８８】
図１２に、条件設定画面３０３の構成を示す。本変形例における条件設定処理のステップＳ２２において、図１２に示す条件設定画面３０３が表示部３１に表示されるものとする。条件設定画面３０３は、カットボタン３１１、複製ボタン３１２、画像挿入ボタン３１３と、形状指定ボタン３１５Ｔ，３１５Ｓ，３１５Ｘと、を有する。形状指定ボタン３１５Ｔは、マークの形状を三角形に指定するボタンである。形状指定ボタン３１５Ｓは、マークの形状をひし形に指定するボタンである。形状指定ボタン３１５Ｘは、マークの形状を×状に指定するボタンである。このマークの形状は、三角形、ひし形、×状の３種類に限定されるものではなく、他の形状や、２種類又は４種類以上としてもよい。
【００８９】
形状指定ボタン３１５Ｔ，３１５Ｓ，３１５Ｘは、カットボタン３１１、複製ボタン３１２、画像挿入ボタン３１３それぞれに対応付けられ、編集の種類ごとにマークの色指定が可能になっている。一例として、カットボタン３１１に対応して形状指定ボタン３１５Ｔがタッチ入力され、複製ボタン３１２に対応して形状指定ボタン３１５Ｓがタッチ入力され、画像挿入ボタン３１３に対応して形状指定ボタン３１５Ｘがタッチ入力されるケースを考える。このように、カットに対応して三角形のマークを表示し、複製に対応してひし形のマークを表示し、画像挿入に対応して×状のマークを表示するものとして設定され、その設定情報が記憶部１４に記憶される。
【００９０】
そして、本変形例における第２のページ編集画面表示処理が実行され、ステップＳ３１において、図４に示すページ編集画面１０１が表示部３１に表示される。そして、ステップＳ３４において、カット、複製又は画像挿入の編集が行われた場合に、ステップＳ３７において、カット、複製又は画像挿入に対応する三角形、ひし形又は×状のマークが、編集されたページ画像１１１及びインジケータ２０１の対応する位置に表示されてページ編集画面が表示部３１に表示される。なお、第２の変形例と同様に、設定された形状のマークがページ編集ボタン表示領域の対応するボタン内に表示される構成としてもよい。
【００９１】
以上、本変形例によれば、操作部３２を介してマークを表示する編集の条件と編集の種類に応じたマークの形状との設定入力を受け付けて設定し、その条件を満たす編集がなされた場合に、その編集に対応する形状のマークをページ画像及びインジケータに付帯表示してページ編集画面を表示部３１に表示する。このため、ページ画像及びインジケータに付帯表示されたマークの形状により、編集の種類をユーザが目視で容易に認識できる。
【００９２】
（第４の変形例）
図１３及び図１４を参照して、上記実施の形態の第４の変形例を説明する。本変形例では、上記実施の形態と同様に、画像形成装置１を用い、上記実施の形態と異なる部分を主として説明する。
【００９３】
本変形例における画像形成装置１の動作を説明する。制御部１１のＲＯＭには、第３のページ編集画面表示処理を実行するための第３のページ編集画面表示プログラムが記憶される。図１３に、第３のページ編集画面表示処理の流れを示す。
【００９４】
第３のページ編集画面表示処理は、ページ画像に対して、用紙の属性として用紙サイズ又は用紙種類の変更が入力された場合に、その変更されたページ画像を示すマークをページ画像及びインジケータに付帯表示してページ編集画面を表示する処理である。画像形成装置１において、例えば、操作部３２を介して第３のページ編集画面表示処理の実行指示が入力されたことをトリガとして、制御部１１により第３のページ編集画面表示プログラムに基づく第３のページ編集画面表示処理が実行される。
【００９５】
図１３に示すように、第３のページ編集画面表示処理のステップＳ４１〜Ｓ４４は、第１のページ編集画面表示処理のステップＳ１１〜Ｓ１４と同様である。ステップＳ４１では、例えば、図４に示すページ編集画面１０１が表示部３１に表示される。ステップＳ４４では、ページ編集画面１０１のページ編集ボタン表示領域１２０の各ボタンのタッチ入力によるページ画像の編集が受け付けられる。このとき、画像詳細ボタン１２７のタッチ入力により、ページ画像に対応する画像形成の用紙の属性の変更も受け付けられる。
【００９６】
図１４に、画像詳細設定画面４０１の構成を示す。ステップＳ４４において、ページ編集画面１０１のページ画像１１１の選択後に、画像詳細ボタン１２７がユーザにタッチ入力されると、図１３に示す画像詳細設定画面４０１が表示部３１に表示される。画像詳細設定画面４０１は、選択中のページ画像を有するページ画像表示領域４１０と、各種用紙の属性の選択入力を受け付ける用紙属性選択領域４２０とを有する。用紙属性選択領域４２０は、用紙の属性として、用紙サイズ、用紙種類、用紙の坪量、用紙の色、用紙の穴あきの有無が選択入力されるドロップダウンリストを有する。
【００９７】
用紙の属性の選択入力は、上記の例に限定されるものではなく、各給紙トレイ５１〜５４に、異なる用紙種類、用紙サイズ等の用紙が格納されている場合に、用紙トレイの選択入力により用紙の属性を変更する構成としてもよい。また、画像詳細設定画面４０１において、用紙属性の選択入力とは別に、用紙の画像形成について、カラー又は白黒、後処理（ステープル、パンチ穴等）の有無、画像形成面（片面、両面等）等が選択入力可能な構成としてもよい。
【００９８】
そして、ステップＳ１５と同様に、編集前の画像並び順のページ画像に対する用紙の属性の選択情報を含む編集情報が取得される（ステップＳ４５）。そして、ステップＳ４５で取得された編集情報が参照され、用紙サイズ又は用紙種類が変更されたページ画像があるか否かが判別される（ステップＳ４６）。用紙サイズ又は用紙種類が変更されたページ画像がある場合（ステップＳ４６；ＹＥＳ）、ページ編集画面において、用紙サイズ又は用紙種類が変更されたページ画像を示すマークが対応する表示位置に設定され、インジケータにおけるページ画像の用紙サイズ又は用紙種類が変更されたページ編集画面を示すマークが対応する表示位置に設定される（ステップＳ４７）。
【００９９】
そして、編集前のページ編集画面に、ステップＳ４５で取得された編集情報の編集がなされ、ステップＳ４７で設定されたマークを有する編集後のページ編集画面の画像データが生成され、その画像データに応じてページ編集画面が表示部３１に表示され（ステップＳ４８）、第３のページ編集画面表示処理が終了する。用紙サイズ又は用紙種類が変更されていない場合（ステップＳ４６；ＮＯ）、ステップＳ４８に移行される。
【０１００】
以上、本実施の形態によれば、ジョブのページ画像に対して、用紙の属性として用紙サイズ又は用紙種類の変更がなされたか否かが判別され、用紙サイズ又は用紙種類の変更がなされた場合に、その変更されたページ画像に対応するマークをページ画像１１１及びインジケータ２０１に付帯表示してページ編集画面を表示部３１に表示する。このため、ページ画像及びインジケータに付帯表示されたマークにより、重要な編集であると類推される用紙のサイズ又は用紙種類の変更がなされたページ画像及びその位置をユーザが目視で容易に認識できる。
【０１０１】
（第５の変形例）
図１５を参照して、上記実施の形態の第５の変形例を説明する。本変形例では、上記実施の形態と同様に、画像形成装置１を用い、上記実施の形態と異なる部分を主として説明する。
【０１０２】
本変形例における画像形成装置１の動作を説明する。制御部１１のＲＯＭには、第４のページ編集画面表示処理を実行するための第４のページ編集画面表示プログラムが記憶される。図１５に、第４のページ編集画面表示処理の流れを示す。
【０１０３】
第５のページ編集画面表示処理は、章分け機能の設定により、ページ画像に対して自動的に白紙挿入が実行された場合に、その白紙挿入されたページ画像を示すマークをページ画像及びインジケータに表示してページ編集画面を表示する処理である。画像形成装置１において、例えば、操作部３２を介して第４のページ編集画面表示処理の実行指示が入力されたことをトリガとして、制御部１１により第４のページ編集画面表示プログラムに基づく第４のページ編集画面表示処理が実行される。
【０１０４】
予め、ユーザからの操作部３２を介する操作入力により、章分け機能の設定の有無と、両面画像形成時に章分け機能を設定する場合に、各章の最終ページが表面になる用紙の裏面に自動的に白紙挿入を行うか否かと、が設定されているものとする。その自動裏面白紙挿入の設定は、設定情報として記憶部１４に記憶される。
【０１０５】
図１５に示すように、第４のページ編集画面表示処理のステップＳ５１〜Ｓ５５は、第１のページ編集画面表示処理のステップＳ１１〜Ｓ１５と同様である。そして、記憶部１４に記憶された設定情報が参照され、章分け機能による自動裏面白紙挿入が設定されているか否かが判別される（ステップＳ５６）。自動裏面白紙挿入が設定されている場合（ステップＳ５６；ＹＥＳ）、ページ編集画面において、章分け機能により自動裏面挿入された白紙のページ画像を示すマークが対応する表示位置に設定されと、インジケータにおける自動裏面挿入された白紙のページ画像を有するページ編集画面を示すマークが対応する表示位置に設定される（ステップＳ５７）。
【０１０６】
そして、編集前のページ編集画面に、ステップＳ５５で取得された編集情報の編集がなされ、ステップＳ５７で設定されたマークを有する編集後のページ編集画面の画像データが生成され、その画像データに応じてページ編集画面が表示部３１に表示され（ステップＳ５８）、第４のページ編集画面表示処理が終了する。自動白紙挿入が設定されていない場合（ステップＳ５６；ＮＯ）、ステップＳ５８に移行される。
【０１０７】
以上、本変形例によれば、ジョブのページ画像に対して、章分け機能により自動裏面白紙画像挿入がなされたか否かが判別され、自動裏面白紙画像挿入がなされた場合に、挿入された白紙のページ画像を示すマークをページ画像１１１及びインジケータ２０１に付帯表示してページ編集画面を表示部３１に表示する。このため、ページ画像及びインジケータに付帯表示されたマークにより、白紙のページ画像が自動で挿入されたページ画像及びその位置をユーザが目視で容易に認識できる。
【０１０８】
なお、上記実施の形態及び変形例における記述は、本発明に係る好適な画像形成装置の一例であり、これに限定されるものではない。
【０１０９】
例えば、上記実施の形態、変形例及び下記構成のうち少なくとも２つを適宜組み合わせることとしてもよい。
【０１１０】
また、上記実施の形態及び変形例では、編集したページ画像の下と、インジケータにおける編集したページ画像を含むページ編集画面の下にマークを表示する構成としたが、これに限定されるものではない。マークを表示する位置は、ページ画像及びインジケータの上、左、右や、ページ画像及びそのインジケータに重畳した位置等、編集したページ画像に対応する他の位置でもよい。
【０１１１】
また、上記実施の形態及び変形例では、編集されたページ画像に対応してページ画像及びインジケータにマークを表示する構成としたが、これに限定されるものではない。例えば、編集されたページ画像に対応して、ページ画像又はインジケータにマークを表示する構成としてもよい。
【０１１２】
また、上記実施の形態及び変形例では、ページ画像にマークを表示する場合、編集されたページ画像に対応する位置にマークを表示する構成としたが、これに限定されるものではない。例えば、編集されたページ画像を含む複数のページ画像からなるグループ（章等）に対応する位置にマークを表示する構成としてもよい。この構成によれば、ページ画像に表示するマークのページ画像間隔を適切にできる。
【０１１３】
また、上記実施の形態及び変形例では、インジケータにマークを表示する場合、編集されたページ画像を有するページ編集画面に対応する位置にマークを表示する構成としたが、これに限定されるものではない。例えば、インジケータにおいて、編集されたページ画像に対応する位置にマークを表示する構成や、編集されたページ画像を含む複数のページ画像からなるグループ（章等）に対応する位置にマークを表示する構成としてもよい。この構成によれば、インジケータに表示するマークのページ画像間隔を適切にできる
【０１１４】
また、上記実施の形態及び変形例では、編集されたページ画像に対応してページ画像とインジケータとに同一のマークを表示する構成としたが、これに限定されるものではない。例えば、編集されたページ画像に対応してページ画像とインジケータとに表示するマークの色、形状等を異にする構成としてもよい。
【０１１５】
また、上記第４の変形例では、変更された用紙の属性が用紙サイズ又は用紙の種類である場合にマークを表示する構成としたが、これに限定されるものではない。例えば、用紙の色等、他の用紙の属性が変更された場合に、マークを表示する構成としてもよい。
【０１１６】
また、上記実施の形態及び変形例では、編集されたページ画像に対応してページ画像及びインジケータに図形のマークを表示する構成としたが、これに限定されるものではない。例えば、編集されたことを示す情報として、ページ編集されたページ画像に対応してページ画像及びインジケータの少なくとも１つに文字等、他の情報を表示する構成や、マークと他の情報とを組み合わせて表示する構成としてもよい。
【０１１７】
また、以上の実施の形態及び変形例における画像形成装置１を構成する各部の細部構成及び細部動作に関して本発明の趣旨を逸脱することのない範囲で適宜変更可能である。
【図面の簡単な説明】
【０１１８】
【図１】本発明に係る実施の形態における画像形成装置の断面構成を示す図である。
【図２】画像形成装置の内部構成を示す図である。
【図３】第１のページ編集画面表示処理を示すフローチャートである。
【図４】実施の形態におけるマークが表示される前のページ編集画面の構成を示す図である。
【図５】実施の形態におけるマークが表示されたページ編集画面の構成を示す図である。
【図６】条件設定処理を示すフローチャートである。
【図７】第２のページ編集画面表示処理を示すフローチャートである。
【図８】第１の変形例における条件設定画面の構成を示す図である。
【図９】第１の変形例におけるマークが表示されたページ編集画面の構成を示す図である。
【図１０】第２の変形例における条件設定画面の構成を示す図である。
【図１１】第２の変形例におけるマークが表示されたページ編集画面の構成を示す図である。
【図１２】第３の変形例における条件設定画面の構成を示す図である。
【図１３】第３のページ編集画面表示処理を示すフローチャートである。
【図１４】画像詳細設定画面の構成を示す図である。
【図１５】第４のページ編集画面表示処理を示すフローチャートである。
【符号の説明】
【０１１９】
１  画像形成装置
１１  制御部
１２  プリントコントローラ
１３  画像処理部
１４  記憶部
２０  画像読取部
２１  ＡＤＦ部
２２  スキャナ部
３０  表示操作部
３１  表示部
３２  操作部
３３  キー操作部
４０  画像形成部
４１  搬送機構
４２  画像形成本体部
４３  定着部
５０  給紙ユニット
５１〜５４  給紙トレイ
６０  後処理部
【図１】
2009231944.tif 000003
【図２】
2009231944.tif 000004
【図３】
2009231944.tif 000005
【図４】
2009231944.tif 000006
【図５】
2009231944.tif 000007
【図６】
2009231944.tif 000008
【図７】
2009231944.tif 000009
【図８】
2009231944.tif 000010
【図９】
2009231944.tif 000011
【図１０】
2009231944.tif 000012
【図１１】
2009231944.tif 000013
【図１２】
2009231944.tif 000014
【図１３】
2009231944.tif 000015
【図１４】
2009231944.tif 000016
【図１５】
2009231944.tif 000017